(57)【要約】【課題】各液体吐出ヘッドから吐出される液体の相対的な付着位置精度を得やすくすることを課題とする。【解決手段】媒体Ｐを搬送する搬送部材２１０と、前記媒体の搬送方向に並んで配置されている複数の液体吐出ヘッド２２０Ｃ，２２０Ｍ，２２０Ｙ，２２０Ｋと、を有する液体を吐出する装置であって、前記複数の液体吐出ヘッドには、ヘッド側位置決め部２２１Ｃ，２２１Ｍ，２２１Ｙ，２２１Ｋがそれぞれ設けられ、前記搬送部材には、搬送部材側位置決め部２１２が設けられ、前記ヘッド側位置決め部と前記搬送部材側位置決め部は、前記液体吐出ヘッドと前記搬送部材の位置関係を決めるための位置決め部であり、前記搬送部材側位置決め部は、前記搬送部材が前記搬送方向に移動することで、複数の前記ヘッド側位置決め部のそれぞれに対応する。【選択図】図２
2017213862.tif 000002
【特許請求の範囲】
【請求項１】
媒体を搬送する搬送部材と、
前記媒体の搬送方向に並んで配置されている複数の液体吐出ヘッドと、を有する液体を吐出する装置であって、
前記複数の液体吐出ヘッドには、ヘッド側位置決め部がそれぞれ設けられ、
前記搬送部材には、搬送部材側位置決め部が設けられ、
前記ヘッド側位置決め部と前記搬送部材側位置決め部は、前記液体吐出ヘッドと前記搬送部材の位置関係を決めるための位置決め部であり、
前記搬送部材側位置決め部は、前記搬送部材が前記搬送方向に移動することで、複数の前記ヘッド側位置決め部のそれぞれに対応することを特徴とする液体を吐出する装置。
【請求項２】
請求項１に記載の液体を吐出する装置において、
前記搬送部材は円筒形状の搬送ドラムであり、
前記搬送部材側位置決め部は、前記搬送ドラムが回転することで、複数の前記ヘッド側位置決め部のそれぞれに対応することを特徴とする液体を吐出する装置。
【請求項３】
請求項１または２に記載の液体を吐出する装置において、
前記搬送部材側位置決め部及び前記ヘッド側位置決め部のうち少なくとも１つは、前記搬送方向と直交する方向に長い孔または切り欠きであることを特徴とする液体を吐出する装置。
【請求項４】
請求項１乃至３のいずれかに記載の液体を吐出する装置において、
前記ヘッド側位置決め部は貫通孔であり、
前記搬送部材側位置決め部が前記貫通孔と対応する位置にあるとき、前記貫通孔を通して、棒状部材が前記搬送部材側位置決め部に嵌合可能であることを特徴とする液体を吐出する装置。
【請求項５】
請求項１乃至３のいずれかに記載の液体を吐出する装置において、
前記ヘッド側位置決め部は光が通過可能な光通過部であり、
前記搬送部材側位置決め部が前記光通過部と対応する位置にあるとき、前記光通過部を通して、前記搬送部材側位置決め部に前記光が到達可能であることを特徴とする液体を吐出する装置。
【請求項６】
媒体に液体を吐出する複数の液体吐出ヘッドの取り付け方法であって、
前記媒体を搬送する搬送部材に設けられた搬送部材側位置決め部を、前記液体吐出ヘッドに設けられたヘッド側位置決め部と対応する位置に移動させる移動ステップと、
棒状部材を前記搬送部材側位置決め部及び前記ヘッド側位置決め部に嵌合させて位置決めを行い、前記液体吐出ヘッドを装置本体に固定する固定ステップと、を有し、
前記移動ステップ及び前記固定ステップを、前記複数の液体吐出ヘッドそれぞれに対して行うことを特徴とする複数の液体吐出ヘッドの取り付け方法。
【請求項７】
媒体に液体を吐出する複数の液体吐出ヘッドの取り付け方法であって、
前記媒体を搬送する搬送部材に設けられた搬送部材側位置決め部を、前記液体吐出ヘッドに設けられたヘッド側位置決め部と対応する位置に移動させる移動ステップと、
レーザーを用いて前記搬送部材側位置決め部及び前記ヘッド側位置決め部を対応させて位置決めを行い、前記液体吐出ヘッドを装置本体に固定する固定ステップと、を有し、
前記移動ステップ及び前記固定ステップを、前記複数の液体吐出ヘッドそれぞれに対して行うことを特徴とする複数の液体吐出ヘッドの取り付け方法。
【請求項８】
請求項６または７に記載の複数の液体吐出ヘッドの取り付け方法を用いることを特徴とする液体を吐出する装置の製造方法。
【発明の詳細な説明】
【技術分野】
【０００１】
本発明は、液体を吐出する装置、複数の液体吐出ヘッドの取り付け方法および液体を吐出する装置の製造方法に関するものである。
【背景技術】
【０００２】
従来、媒体を搬送する搬送部材と、前記媒体の搬送方向に並んで配置されている複数の液体吐出ヘッドと、を有する液体を吐出する装置が知られている。
【０００３】
例えば、特許文献１には、回転するドラムの外周面に巻き付けられて回転搬送されるシート材に対して、ドラムの外周面に対向配置された４つのラインヘッドからインクを吐出させて画像を形成するインクジェット記録装置が開示されている。
【０００４】
このインクジェット記録装置において、各ラインヘッドはその両端部が一対の台座に固定され、一対の台座は装置本体の両側板に固定される。ドラム表面法線方向及びドラム周方向についての各ラインヘッドの位置決め（ドラムに対する位置決め）は、装置本体の両側板に対して一対の台座を位置決めすることにより行う。
【０００５】
一対の台座の位置決めは、一対の台座にダミーヘッドを取り付け、ダミーヘッドの両端部に配設された一対の位置決めピンを、ドラム外周面の両端部に形成された一対の位置決め穴に嵌め入れることにより行われる。
【０００６】
詳しくは、一対の位置決めピンは段付きピンで構成され、一対の台座をドラム表面に近づけることにより、その大径部の端面がドラム外周面に突き当たる位置まで、その小径部をドラム上の位置決め穴に嵌め入れる。その後、一対の台座を装置本体の両側板に固定し、その一対の台座に対してダミーヘッドとラインヘッドを交換する。
【発明の概要】
【発明が解決しようとする課題】
【０００７】
ところが、前記特許文献１に開示の方法では、ドラム（搬送部材）に設けられる位置決め穴（位置決め基準部）が、各ラインヘッド（液体吐出ヘッド）に対して個別に設けられている。
【０００８】
したがって、各ラインヘッドを支持する一対の台座は、ドラム上の互いに異なる位置決め穴によって位置決めされることになる。よって、ラインヘッド間における相対的な位置関係は、ドラム上に形成される各位置決め穴の位置精度に依存し、その位置決め穴の位置精度が悪いと、ラインヘッド間における相対的な位置精度が悪くなる。
【０００９】
そのため、前記特許文献１に開示の方法でラインヘッド間における相対的な位置精度を高めるためには、ドラム上に形成される８つの位置決め穴のすべてについて位置精度を高める必要があり、ラインヘッド間における相対的な位置精度を高めることが困難である。
【課題を解決するための手段】
【００１０】
上述した課題を解決するために、本発明は、媒体を搬送する搬送部材と、前記媒体の搬送方向に並んで配置されている複数の液体吐出ヘッドと、を有する液体を吐出する装置であって、前記複数の液体吐出ヘッドには、ヘッド側位置決め部がそれぞれ設けられ、前記搬送部材には、搬送部材側位置決め部が設けられ、前記ヘッド側位置決め部と前記搬送部材側位置決め部は、前記液体吐出ヘッドと前記搬送部材の位置関係を決めるための位置決め部であり、前記搬送部材側位置決め部は、前記搬送部材が前記搬送方向に移動することで、複数の前記ヘッド側位置決め部のそれぞれに対応することを特徴とする。
【発明の効果】
【００１１】
本発明によれば、液体吐出ヘッド間における相対的な位置精度を高めやすいという優れた効果が奏される。
【図面の簡単な説明】
【００１２】
【図１】実施形態におけるインクジェット記録装置の概略構成を示す模式図である。
【図２】同インクジェット記録装置の画像形成部の構成を示す模式図である。
【図３】第１実施形態において、各液体吐出ヘッドに設けられる一対のヘッド側位置決め基準穴と、用紙搬送ドラム上に設けられる一対のドラム側位置決め基準穴の形状の一例を示す説明図である。
【図４】最初の液体吐出ヘッドの位置決め工程を示す説明図である。
【図５】２番目の液体吐出ヘッドの位置決め工程を示す説明図である。
【図６】液体吐出ヘッドを上方から見たときの要部平面図である。
【図７】第２実施形態において、各液体吐出ヘッドに設けられる一対のヘッド側位置決め基準穴と、用紙搬送ドラム上に設けられる一対のドラム側位置決め基準穴の形状の一例を示す説明図である。
【図８】第２実施形態において、各液体吐出ヘッドに設けられる一対のヘッド側位置決め基準穴と、用紙搬送ドラム上に設けられる一対のドラム側位置決め基準穴の形状の他の例を示す説明図である。
【図９】第２実施形態において、各液体吐出ヘッドに設けられる一対のヘッド側位置決め基準穴と、用紙搬送ドラム上に設けられる一対のドラム側位置決め基準穴の形状の更に他の例を示す説明図である。
【発明を実施するための形態】
【００１３】
以下、図面を参照して、本発明の一実施形態について説明する。
【００１４】
［全体説明］
図１は、本実施形態におけるインクジェット記録装置の概略構成を示す模式図である。
本実施形態のインクジェット記録装置１は、主に、給紙部１００、画像形成部２００、乾燥部３００、排紙部４００から構成されている。
【００１５】
インクジェット記録装置１においては、給紙部１００から給紙される媒体としてのシート材である記録材である用紙Ｐに対し、画像形成部２００で画像形成用の液体であるインクにより画像を形成する。そして、用紙上に付着したインクを乾燥部３００において乾燥させた後、用紙を排紙部４００から排紙する。
【００１６】
［給紙部］
給紙部１００は、主に、複数の用紙Ｐが積載される給紙トレイ１１０と、給紙トレイ１１０から用紙を１枚ずつ分離して送り出す給送装置１２０と、用紙を画像形成部２００へ送り込むレジストローラ対１３０とから構成されている。
【００１７】
給送装置１２０には、ローラやコロを用いた装置や、エア吸引を利用した装置など、あらゆる給送装置を用いることが可能である。給送装置１２０により給紙トレイ１１０から送り出された用紙は、その先端がレジストローラ対１３０に到達した後、レジストローラ対１３０が所定のタイミングで駆動することにより、画像形成部２００へ給紙される。
【００１８】
なお、本実施形態において、給紙部１００は、画像形成部２００へ用紙Ｐを送り出すものであれば、その構成に制限はない。
【００１９】
［画像形成部］
画像形成部２００は、主に、給紙された用紙Ｐ（媒体）を受け取る受け取り胴２０１と、受け取り胴２０１によって搬送された用紙Ｐを外周面に担持して搬送する円筒形状の用紙搬送ドラム２１０（搬送部材）と、用紙搬送ドラム２１０によって搬送された用紙Ｐに向けてインクを吐出するインク吐出部２２０と、用紙搬送ドラム２１０によって搬送された用紙Ｐを乾燥部３００へ受け渡す受け渡し胴２０２とから構成されている。
【００２０】
給紙部１００から画像形成部２００へ搬送されてきた用紙Ｐは、受け取り胴２０１の表面に設けられた用紙グリッパによって先端が把持され、受け取り胴２０１の表面移動に伴って搬送される。受け取り胴２０１により搬送された用紙は、用紙搬送ドラム２１０との対向位置で用紙搬送ドラム２１０へ受け渡される。
【００２１】
用紙搬送ドラム２１０の表面にも用紙グリッパが設けられており、用紙の先端が用紙グリッパによって把持される。また、用紙搬送ドラム２１０の表面には、複数の吸引孔が分散して形成されており、各吸引孔には吸引装置２１１によって用紙搬送ドラム２１０の内側へ向かう吸い込み気流が発生する。
【００２２】
受け取り胴２０１から用紙搬送ドラム２１０へ受け渡された用紙Ｐは、用紙グリッパによって先端が把持されるとともに、吸い込み気流によって用紙搬送ドラム２１０の表面に吸着して、用紙搬送ドラム２１０の表面移動に伴って搬送される。
【００２３】
本実施形態のインク吐出部２２０は、Ｃ（シアン）、Ｍ（マゼンタ）、Ｙ（イエロー）、Ｋ（ブラック）の４色のインクを吐出して画像を形成するものであり、インクごとに個別の液体吐出ヘッド２２０Ｃ，２２０Ｍ，２２０Ｙ，２２０Ｋを備えている。
【００２４】
液体吐出ヘッド２２０Ｃ，２２０Ｍ，２２０Ｙ，２２０Ｋは、液体を吐出するものであれば、その構成に制限はなく、あらゆる構成のものを採用することができる。必要に応じて、白色、金色、銀色などの特殊なインクを吐出する液体吐出ヘッドを設けたり、表面コート液などの画像を構成しない液体を吐出する液体吐出ヘッドを設けたりしてもよい。
【００２５】
インク吐出部２２０の液体吐出ヘッド２２０Ｃ，２２０Ｍ，２２０Ｙ，２２０Ｋは、画像情報に応じた駆動信号によりそれぞれ吐出動作が制御される。用紙搬送ドラム２１０によって搬送された用紙Ｐがインク吐出部２２０との対向領域を通過する際に、液体吐出ヘッド２２０Ｃ，２２０Ｍ，２２０Ｙ，２２０Ｋから各色インクが吐出され、当該画像情報に応じた画像が形成される。
【００２６】
なお、本実施形態において、画像形成部２００は、用紙Ｐ上に液体を付着させて画像を形成するであれば、その構成に制限はない。
【００２７】
［乾燥部］
乾燥部３００は、主に、画像形成部２００で用紙Ｐ上に付着したインクを乾燥させるための乾燥機構３０１と、画像形成部２００から搬送されてくる用紙Ｐを搬送する搬送機構３０２とから構成されている。
【００２８】
画像形成部２００から搬送されてきた用紙Ｐは、搬送機構３０２に受け取られた後、乾燥機構３０１を通過するように搬送され、排紙部４００へ受け渡される。乾燥機構３０１を通過する際、用紙Ｐ上のインクには乾燥処理が施され、これによりインク中の水分等の液分が蒸発し、用紙Ｐ上にインクが固着するとともに、用紙Ｐのカールが抑制される。
【００２９】
［排紙部］
排紙部４００は、主に、複数の用紙Ｐが積載される排紙トレイ４１０から構成されている。乾燥部３００から搬送されてくる用紙Ｐは、排紙トレイ４１０上に順次積み重ねられて保持される。
【００３０】
なお、本実施形態において、排紙部４００は、用紙Ｐを排紙するものであれば、その構成に制限はない。
【００３１】
［その他の機能部］
本実施形態のインクジェット記録装置１は、給紙部１００、画像形成部２００、乾燥部３００、排紙部４００から構成されているが、他の機能部を適宜追加してもよい。例えば、給紙部１００と画像形成部２００との間に画像形成の前処理を行う前処理部を追加したり、乾燥部３００と排紙部４００との間に画像形成の後処理を行う後処理部を追加したりすることができる。
【００３２】
前処理部としては、例えば、インクと反応して滲みを抑制するための処理液を用紙Ｐに塗布する処理液塗布処理を行うものなどが挙げられるが、前処理の内容については特に制限はない。
【００３３】
また、後処理部としては、例えば、画像形成部２００で画像が形成された用紙を反転させて再び画像形成部２００へ送って用紙の両面に画像を形成するための用紙反転搬送処理や、画像が形成された複数枚の用紙を綴じる処理などが挙げられるが、後処理の内容についても特に制限はない。
【００３４】
なお、本実施形態では、液体を吐出する装置を、インクジェット記録装置の例で説明しているが、「液体を吐出する装置」は、シート材の被乾燥面に向けて液体を吐出する液体吐出ヘッドを備え、吐出された液体によって文字、図形等の有意な画像が可視化されるものに限定されるものではなく、例えば、それ自体意味を持たないパターン等を形成するものも含まれる。
【００３５】
シート材は、材質を限定されるものではなく、紙、糸、繊維、布帛、皮革、金属、プラスチック、ガラス、木材、セラミックスなど、液体が一時的でも付着可能なものであればよく、例えば、フィルム製品、衣料用等の布製品、壁紙や床材等の建材、皮革製品などに使用されるものであってもよい。本実施形態においては、液体が一時的でも付着可能なものを「媒体」と称している。
【００３６】
また、「液体を吐出する装置」は、液体が付着可能なものの給送、搬送、排紙に係わる手段、その他、前処理装置、後処理装置なども含むことができる。
【００３７】
また、「液体」は、ヘッドから吐出可能な粘度や表面張力を有するものであればよく、特に限定されないが、常温、常圧下において、または加熱、冷却により粘度が３０ｍＰａ・ｓ以下となるものであることが好ましい。
【００３８】
より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液等の用途で用いることができる。
【００３９】
また、「液体を吐出する装置」は、液体吐出ヘッドとシート材とが相対的に移動する装置があるが、これに限定するものではない。具体例としては、液体吐出ヘッドを移動させるシリアル型装置、液体吐出ヘッドを移動させないライン型装置などが含まれる。
【００４０】
また、「液体吐出ヘッド」とは、吐出孔（ノズル）から液体を吐出・噴射する機能部品である。液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどの吐出エネルギー発生手段を使用することができるが、使用する吐出エネルギー発生手段が限定されるものではない。
【００４１】
なお、本実施形態においては、複数の液体吐出ヘッドを用紙幅方向（搬送方向と直交する方向）に並べることで、長尺な液体吐出ヘッド（ラインヘッド）としている。特筆しない場合は、「液体吐出ヘッド」とは「ラインヘッド」を意味する。
【００４２】
［ヘッド位置決め］
次に、第１実施形態における画像形成部２００の液体吐出ヘッド２２０Ｃ，２２０Ｍ，２２０Ｙ，２２０Ｋを、搬送部材としての用紙搬送ドラム２１０に対して位置決めする方法について説明する。
【００４３】
図２は、画像形成部２００の構成を示す模式図である。
【００４４】
上述したとおり、画像形成部２００へ搬送されてきた用紙Ｐは、受け取り胴２０１の表面に設けられた用紙グリッパ２０１ａによって先端が把持され、受け取り胴２０１の表面移動に伴って搬送され、用紙搬送ドラム２１０へ受け渡される。
【００４５】
用紙搬送ドラム２１０に受け渡された用紙Ｐは、用紙搬送ドラム２１０上の用紙グリッパ２０１ａによって先端が把持された状態で用紙搬送ドラム２１０の表面に担持され、用紙搬送ドラム２１０の回転に伴って搬送される。
【００４６】
そして、用紙搬送ドラム２１０によって搬送された用紙Ｐがインク吐出部２２０との対向領域を通過する際、液体吐出ヘッド２２０Ｃ，２２０Ｍ，２２０Ｙ，２２０Ｋから各色インクが吐出され、画像情報に応じた画像が形成される。
【００４７】
本実施形態の各液体吐出ヘッド２２０Ｃ，２２０Ｍ，２２０Ｙ，２２０Ｋは、用紙Ｐの幅方向にわたる長さ（主走査方向長さ）もったライン型の液体吐出ヘッドであり、用紙Ｐに対して各液体吐出ヘッド２２０Ｃ，２２０Ｍ，２２０Ｙ，２２０Ｋからインクを吐出する。
【００４８】
本実施形態において、各液体吐出ヘッド２２０Ｃ，２２０Ｍ，２２０Ｙ，２２０Ｋは、用紙搬送ドラム２１０の回転軸を中心にして放射状に個別に配置している。このとき、液体吐出ヘッド間における相対的な位置関係の精度が悪いと、各液体吐出ヘッドから用紙Ｐへ吐出される各色インクの相対的な付着位置精度が悪化し、色ズレなどの問題が発生する。
【００４９】
ここでいう液体吐出ヘッド間における相対的な位置関係とは、液体吐出ヘッド間における主走査方向位置、副走査方向位置、用紙搬送ドラム２１０の表面との距離、用紙搬送ドラム２１０の回転軸に対する平行度などが含まれる。
【００５０】
本実施形態においては、以下のようにして、各液体吐出ヘッド２２０Ｃ，２２０Ｍ，２２０Ｙ，２２０Ｋを用紙搬送ドラム２１０に対して位置決めし、液体吐出ヘッド間における相対的な位置の精度を確保している。
【００５１】
本実施形態のインクジェット記録装置において、用紙搬送ドラム２１０には、主走査方向（用紙搬送ドラム２１０の搬送方向に対して直交する方向。用紙搬送ドラム２１０の回転軸方向）の異なる位置に複数の共通位置決め基準部（搬送部材側位置決め部）が設けられている。
【００５２】
本実施形態における当該複数の共通位置決め基準部は、用紙搬送ドラム２１０の外周面上における回転軸方向各端部領域に、用紙搬送ドラム２１０の回転軸方向に並んで形成された２つの位置決め基準穴からなる一対のドラム側位置決め基準穴２１２によって構成される。
【００５３】
より具体的には、図３に示すように、用紙搬送ドラム２１０の用紙幅方向の両端部近傍に、ドラム側位置決め基準穴２１２がそれぞれ設けられている。
【００５４】
一対のドラム側位置決め基準穴２１２は、図２に示すドラム回転位置では一対のドラム側位置決め基準穴２１２の開口が真上に向いている。
【００５５】
また、各液体吐出ヘッド２２０Ｃ，２２０Ｍ，２２０Ｙ，２２０Ｋには、それぞれ、主走査方向の異なる位置に複数のヘッド側位置決め基準部（ヘッド側位置決め部）が設けられている。
【００５６】
本実施形態における当該複数のヘッド側位置決め基準部は、各液体吐出ヘッド２２０Ｃ，２２０Ｍ，２２０Ｙ，２２０Ｋのノズル板上におけるドラム回転軸方向各端部領域に、用紙搬送ドラム２１０の回転軸方向に並んで形成された２つの位置決め基準穴からなる一対のヘッド側位置決め基準穴２２１Ｃ，２２１Ｍ，２２１Ｙ，２２１Ｋによって構成される。
【００５７】
より具体的には、図３に示すように、用紙搬送ドラム２１０の用紙幅方向の両端部近傍（液体吐出ヘッド２２０Ｃ，２２０Ｍ，２２０Ｙ，２２０Ｋの長手方向の両端部近傍）に、ヘッド側位置決め基準穴２２１がそれぞれ設けられている。
【００５８】
本実施形態において、各液体吐出ヘッド２２０Ｃ，２２０Ｍ，２２０Ｙ，２２０Ｋを用紙搬送ドラム２１０に対して位置決めする場合、用紙搬送ドラム２１０の回転方向上流側に位置する液体吐出ヘッド２２０Ｃ，２２０Ｍ，２２０Ｙ，２２０Ｋから順に、位置決め工程を実施していく。
【００５９】
なお、液体吐出ヘッド２２０Ｃ，２２０Ｍ，２２０Ｙ，２２０Ｋの位置決め工程を行う順序は、任意であり、本実施形態に限定されることはない。
【００６０】
位置決め工程を実施する前に、各液体吐出ヘッド２２０Ｃ，２２０Ｍ，２２０Ｙ，２２０Ｋは、ベース部材２９０に仮保持されている。ベース部材２９０は、各ヘッド側位置決め基準穴２２１に対応する位置に貫通穴を有している。
【００６１】
その状態で、まず、図４に示すように、用紙搬送ドラム２１０上の一対のドラム側位置決め基準穴２１２が、最初の液体吐出ヘッド２２０Ｃの位置決め工程を実施するための予め決められた回転位置（回転角度位置）に位置するように、用紙搬送ドラム２１０を回転して停止させる（移動ステップ）。
【００６２】
その後、位置決め基準部材としての基準ピン（棒状部材）２３０の一端を、用紙搬送ドラム２１０上のドラム側位置決め基準穴２１２に貫通させるとともに、ベース部材２９０の貫通穴を通しつつ、その基準ピン２３０の他端を、液体吐出ヘッド２２０Ｃ上のヘッド側位置決め基準穴２２１Ｃに貫通させる。
【００６３】
これにより、用紙搬送ドラム２１０上のドラム側位置決め基準穴２１２に嵌め込まれた基準ピン２３０に規制される位置に液体吐出ヘッド２２０Ｃが位置決めされる。その結果、用紙搬送ドラム２１０上に対し、ドラム側位置決め基準穴２１２及び基準ピン２３０に定まる位置に、液体吐出ヘッド２２０Ｃが位置決めされる。
【００６４】
その後、このように位置決めされた液体吐出ヘッド２２０Ｃは、その液体吐出ヘッド２２０Ｃを支持するベース部材２９０に対して固定される（固定ステップ）。
【００６５】
次に、図５に示すように、用紙搬送ドラム２１０上の一対のドラム側位置決め基準穴２１２が、２番目の液体吐出ヘッド２２０Ｍの位置決め工程を実施するための予め決められた回転位置（回転角度位置）に位置するように、用紙搬送ドラム２１０を回転して停止させる。
【００６６】
その後、同様に、基準ピン２３０の一端を、用紙搬送ドラム２１０上のドラム側位置決め基準穴２１２に貫通させるとともに、ベース部材２９０の貫通穴を通しつつ、その基準ピン２３０の他端を、液体吐出ヘッド２２０Ｍ上のヘッド側位置決め基準穴２２１Ｍに貫通させる。
【００６７】
これにより、用紙搬送ドラム２１０上に対し、ドラム側位置決め基準穴２１２及び基準ピン２３０に定まる位置に、液体吐出ヘッド２２０Ｍが位置決めされる。その後、このように位置決めされた液体吐出ヘッド２２０Ｍは、その液体吐出ヘッド２２０Ｍを支持するベース部材２９０に対して固定される。
【００６８】
以上の工程を、３番目の液体吐出ヘッド２２０Ｙ及び４番目の液体吐出ヘッド２２０Ｋ対しても実施することで、各液体吐出ヘッド２２０Ｃ，２２０Ｍ，２２０Ｙ，２２０Ｋの用紙搬送ドラム２１０に対する位置決めが完了する。
【００６９】
具体的には、各液体吐出ヘッド２２０Ｃ，２２０Ｍ，２２０Ｙ，２２０Ｋの主走査方向位置、副走査方向位置、用紙搬送ドラム２１０の表面との距離、用紙搬送ドラム２１０の回転軸に対する平行度が、用紙搬送ドラム２１０上の共通のドラム側位置決め基準穴２１２及び基準ピン２３０によって決められる。
【００７０】
また、図６は、液体吐出ヘッド２２０Ｃを上方から見たときの要部平面図である。
なお、図６では、説明のため、ベース部材２９０を省略している。
【００７１】
図６では、ドラム側位置決め基準穴２１２が、ヘッド側位置決め基準穴２２１Ｃに対応する位置にある。このとき、例えば基準ピン２３０をヘッド側位置決め基準穴２２１Ｃの上方から差し込むことで、ドラム側位置決め基準穴２１２を基準として、液体吐出ヘッド２２０Ｃが位置決めされる。
【００７２】
そして、液体吐出ヘッド２２０Ｃをベース部材２９０に取り付け（固定し）、用紙搬送ドラム２１０を回転させて、液体吐出ヘッド２２０Ｍに対しても同様の手順を行う。
【００７３】
なお、本実施形態では基準ピン２３０を用いているが、方法はこれに限られない。例えば、非接触のレーザー測定器などを使って、ドラム側位置決め基準穴２１２とヘッド側位置決め基準穴２２１との位置合わせを行ってもよいし、目視でも構わない。つまり、少なくとも、図６に示すように、ヘッド側位置決め基準穴２２１を通して、ドラム側位置決め基準穴２１２が目視可能な状態であれば、本発明の効果を得ることができる。
【００７４】
つまり、本実施形態における複数の液体吐出ヘッドの取り付け方法は、用紙Ｐ（媒体）を搬送する用紙搬送ドラム２１０（搬送部材）に設けられたドラム側位置決め基準穴２１２（搬送部材側位置決め部）を、液体吐出ヘッド２２０Ｃ，２２０Ｍ，２２０Ｙ，２２０Ｋに設けられたヘッド側位置決め基準穴２２１（ヘッド側位置決め部）と対応する位置に移動させる移動ステップと、基準ピン２３０（棒状部材）をドラム側位置決め基準穴２１２及びヘッド側位置決め基準穴２２１に嵌合させて位置決めを行い、液体吐出ヘッド２２０Ｃ，２２０Ｍ，２２０Ｙ，２２０Ｋを装置本体（本実施形態では、ベース部材２９０）に固定する固定ステップと、を有し、移動ステップ及び固定ステップを、液体吐出ヘッド２２０Ｃ，２２０Ｍ，２２０Ｙ，２２０Ｋのそれぞれに対して行うことを特徴とする。
【００７５】
また、つまり、本実施形態における液体を吐出する装置は、用紙Ｐ（媒体）を搬送する用紙搬送ドラム２１０（搬送部材）と、用紙Ｐの搬送方向に並んで配置されている複数の液体吐出ヘッド２２０Ｃ，２２０Ｍ，２２０Ｙ，２２０Ｋと、を有し、各液体吐出ヘッドには、ヘッド側位置決め基準穴２２１（ヘッド側位置決め部）がそれぞれ設けられ、用紙搬送ドラム２１０には、ドラム側位置決め基準穴２１２（搬送部材側位置決め部）が設けられ、ドラム側位置決め基準穴２１２とヘッド側位置決め基準穴２２１は、液体吐出ヘッド２２０Ｃ，２２０Ｍ，２２０Ｙ，２２０Ｋと用紙搬送ドラム２１０の位置関係を決めるための位置決め部であり、ドラム側位置決め基準穴２１２は、用紙搬送ドラム２１０が搬送方向に移動することで、複数のヘッド側位置決め基準穴２２１のそれぞれに対応することを特徴とする。
【００７６】
なお「位置関係」とは、複数の液体吐出ヘッド２２０と用紙搬送ドラム２１０との相対的な位置、間隔、姿勢、角度などを指す。より具体的には、液体吐出ヘッド２２０同士の搬送方向における間隔、用紙幅方向の位置、平行度、液体吐出ヘッド２２０と用紙搬送ドラム２１０の表面との間隔、液体吐出ヘッド２２０の用紙搬送ドラム２１０の回転軸に対する平行度などが含まれる（もちろん、これらに限定するものではない）。また「位置関係を決めるための位置決め部」とは、上記の少なくとも何れかを決める際に参照（利用）される目印、マーク、凹み、孔、溝、貫通穴、切り欠き、センサーなどであればよく、接触式でも非接触式でもよい。
【００７７】
また「搬送部材側位置決め部がヘッド側位置決め部に対応する」とは、必ずしも「搬送部材側位置決め部がヘッド側位置決め部の下方に位置する」ことを示すわけではない。液体吐出ヘッド２２０と用紙搬送ドラム２１０の位置関係を決めるために、各位置決め部を参照（利用）できる状態であればよい。
【００７８】
次に、第２実施形態について図７を用いて説明する。
図７は、各液体吐出ヘッド２２０Ｃ，２２０Ｍ，２２０Ｙ，２２０Ｋに設けられる一対のヘッド側位置決め基準穴２２１と、用紙搬送ドラム２１０上に設けられる一対のドラム側位置決め基準穴２１２の形状例を示す説明図である。
【００７９】
本実施形態では、各液体吐出ヘッド２２０Ｃ，２２０Ｍ，２２０Ｙ，２２０Ｋに設けられる一対のヘッド側位置決め基準穴２２１は、いずれも、基準ピン２３０の外径形状に合った形状寸法をもち、基準ピン２３０が嵌り込む構成になっている。
【００８０】
一方、用紙搬送ドラム２１０上の一対のドラム側位置決め基準穴２１２は、一方のドラム側位置決め基準穴２１２ａは、基準ピン２３０の外径形状に合った形状寸法をもち、基準ピン２３０が嵌り込む構成になっているが、他方のドラム側位置決め基準穴２１２ｂは、これに挿入された基準ピン２３０が主走査方向に移動可能なように、主走査方向に長尺な長穴形状となっている。
【００８１】
これにより、各液体吐出ヘッド２２０Ｃ，２２０Ｍ，２２０Ｙ，２２０Ｋに設けられる一対のヘッド側位置決め基準穴２２１の主走査方向位置にバラつきがあっても、用紙搬送ドラム２１０上のドラム側位置決め基準穴２１２ａを主基準とし、ドラム側位置決め基準穴２１２ｂを従基準として、液体吐出ヘッド２２０Ｃ，２２０Ｍ，２２０Ｙ，２２０Ｋ上のヘッド側位置決め基準穴２２１を、用紙搬送ドラム２１０上のドラム側位置決め基準穴２１２に対して位置決めすることができる。
【００８２】
なお、図８に示すように構成しても同様である。すなわち、用紙搬送ドラム２１０上の一対のドラム側位置決め基準穴２１２は、基準ピン２３０の外径形状に合った形状寸法をもち、基準ピン２３０が嵌り込む構成とする。一方、各液体吐出ヘッド２２０Ｃ，２２０Ｍ，２２０Ｙ，２２０Ｋに設けられる一対のヘッド側位置決め基準穴２２１は、一方のヘッド側位置決め基準穴２２１ａは、基準ピン２３０の外径形状に合った形状寸法をもち、基準ピン２３０が嵌り込む構成になっているが、他方のヘッド側位置決め基準穴２２１ｂは、これに挿入された基準ピン２３０が主走査方向に移動可能なように、主走査方向に長尺な長穴形状となっている。
【００８３】
このような構成でも、各液体吐出ヘッド２２０Ｃ，２２０Ｍ，２２０Ｙ，２２０Ｋに設けられる一対のヘッド側位置決め基準穴２２１の主走査方向位置にバラつきがあっても、各液体吐出ヘッド２２０Ｃ，２２０Ｍ，２２０Ｙ，２２０Ｋ上のヘッド側位置決め基準穴２２１ａを主基準とし、ヘッド側位置決め基準穴２２１ｂを従基準として、液体吐出ヘッド２２０Ｃ，２２０Ｍ，２２０Ｙ，２２０Ｋ上のヘッド側位置決め基準穴２２１を、用紙搬送ドラム２１０上のドラム側位置決め基準穴２１２に対して位置決めすることができる。
【００８４】
また、図９に示すように、長穴形状のドラム側位置決め基準穴２１２ｂの代わりに、切り欠き２１２ｃを用いた場合も、同様の効果を発揮できる。
【００８５】
また、いずれの実施形態においても、ドラム側位置決め基準穴２１２は、貫通孔でもよいし、非貫通の溝（凹み）でも良く、棒形状の基準ピン２３０が差し込める形状であれば良い。
【００８６】
また、いずれの実施形態においても、ヘッド側位置決め基準穴２２１も、貫通孔でもよいし、非貫通の溝（凹み）でも良い。ただし、液体吐出ヘッド２２０Ｃ，２２０Ｍ，２２０Ｙ，２２０Ｋの上方から用紙搬送ドラム２１０のドラム側位置決め基準穴２１２を目視可能できるように、ヘッド側位置決め基準穴２２１は貫通孔とするのが好ましい。この場合、作業性が向上する。
【００８７】
また、いずれの実施形態においても、位置決めのために棒形状の基準ピン２３０を必須とするものではない。例えば、レーザー光源を用いた測定装置をヘッド側位置決め基準穴２２１（光通過部）から照射して、ドラム側位置決め基準穴２１２まで到達させ、液体吐出ヘッド２２０Ｃ，２２０Ｍ，２２０Ｙ，２２０Ｋと用紙搬送ドラム２１０の相対位置を測定して位置決めを行うこともできる。その他種々の方法でも位置決めが可能である。
【００８８】
なお、光通過部としては、貫通穴、ガラス、フィルム、ミラーなどが挙げられ、最終的に位置関係を決めることができる構造であれば方法は問わない。ミラーを用いた場合は、レーザー光源の照射位置を自由に変更することが可能である。
【００８９】
本実施形態においては、各液体吐出ヘッド２２０Ｃ，２２０Ｍ，２２０Ｙ，２２０Ｋに設けられるヘッド側位置決め基準穴２２１Ｃ，２２１Ｍ，２２１Ｙ，２２１Ｋが、いずれも、用紙搬送ドラム２１０上の共通のドラム側位置決め基準穴２１２に対して位置決めされる。
【００９０】
液体吐出ヘッド２２０Ｃ，２２０Ｍ，２２０Ｙ，２２０Ｋごとに個別のドラム側位置決め基準穴が用紙搬送ドラム２１０上に設けられた従来構成では、液体吐出ヘッドごとのドラム側位置決め基準穴間における位置精度が、液体吐出ヘッド間における相対的な位置精度に影響する。
【００９１】
本実施形態によれば、各液体吐出ヘッドのヘッド側位置決め基準穴２２１Ｃ，２２１Ｍ，２２１Ｙ，２２１Ｋが、いずれも、用紙搬送ドラム２１０上の共通のドラム側位置決め基準穴２１２に対して位置決めされるので、従来構成のように、液体吐出ヘッドごとのドラム側位置決め基準穴間における位置精度が液体吐出ヘッド間における相対的な位置精度に影響するということはない。
【００９２】
したがって、本実施形態において、仮に用紙搬送ドラム２１０上に設けられる一対のドラム側位置決め基準穴２１２の位置精度、加工精度が悪い場合であっても、液体吐出ヘッド間における相対的な位置精度は得やすく、各液体吐出ヘッドから吐出されるインクの相対的な付着位置精度を得やすい。
【００９３】
例えば、用紙搬送ドラム２１０上に設けられる一対のドラム側位置決め基準穴２１２の位置を結んだ方向が、用紙搬送ドラム２１０の回転軸方向からズレている場合、用紙搬送ドラム２１０の回転軸に対する各液体吐出ヘッドの平行度はズレたものとなるが、液体吐出ヘッド間における相対的な平行度にズレが生じることはない。
【００９４】
この場合、各液体吐出ヘッドから吐出される各色インクが用紙Ｐに対して付着するインク付着位置は目標位置からズレてしまい、多少の画像歪みが生じ得るものの、各液体吐出ヘッドから吐出される各色インクの相対的な位置はズレないので、画像歪みよりも顕著な画質劣化である色ズレは防止できる。
【００９５】
以上に説明したものは一例であり、次の態様毎に特有の効果を奏する。
【００９６】
（態様Ａ）
媒体を搬送する搬送部材と、前記媒体の搬送方向に並んで配置されている複数の液体吐出ヘッドと、を有する液体を吐出する装置であって、前記複数の液体吐出ヘッドには、ヘッド側位置決め部がそれぞれ設けられ、前記搬送部材には、搬送部材側位置決め部が設けられ、前記ヘッド側位置決め部と前記搬送部材側位置決め部は、前記液体吐出ヘッドと前記搬送部材の位置関係を決めるための位置決め部であり、前記搬送部材側位置決め部は、前記搬送部材が前記搬送方向に移動することで、複数の前記ヘッド側位置決め部のそれぞれに対応することを特徴とする。
【００９７】
本態様によれば、各液体吐出ヘッドに設けられるヘッド側位置決め部を、搬送部材に設けられる搬送部材側位置決め部に対して位置決めすることで、搬送部材に対する各液体吐出ヘッドの位置決めが行われる。
【００９８】
したがって、従来のように、各液体吐出ヘッドに設けられるヘッド側位置決め部を、搬送部材に設けられる液体吐出ヘッドごとの個別の位置決め部に対して位置決めする場合と比較して、搬送部材に設けられる液体吐出ヘッドごとの位置決め部間における位置精度が、液体吐出ヘッド間における相対的な位置精度に影響することはない。
【００９９】
しかも、搬送部材に設ける搬送部材側位置決め部は、従来のように搬送部材に液体吐出ヘッドごとの個別の位置決め部を設ける場合と比べて数が少ないので、高い位置決め精度をもつ位置決め部を搬送部材に比較的容易に設けることが可能である。よって、液体吐出ヘッド間における相対的な位置精度（搬送部材に対する位置精度）を得やすく、各液体吐出ヘッドから吐出される液体の相対的な付着位置精度を得やすい。
【０１００】
ここでいう液体吐出ヘッド間における相対的な位置精度（搬送部材に対する位置精度）とは、各液体吐出ヘッドに設けられるヘッド側位置決め部を、搬送部材に設けられる搬送部材側位置決め部に対して位置決めされる位置の精度であれば、液体吐出ヘッド間における主走査方向位置、副走査方向位置、搬送部材の表面との距離、搬送部材の表面に対する平行度、搬送部材の搬送方向に対して直交する方向に対する平行度などに関する位置精度が含まれる。
【０１０１】
例えば、液体吐出ヘッド間における主走査方向位置、搬送部材の表面との距離、搬送部材の表面に対する平行度については、搬送部材に設けられる搬送部材側位置決め部という液体吐出ヘッド間で共通の位置決め部に対して位置決めすることで、高い位置決め精度が得られる。
【０１０２】
また、例えば、液体吐出ヘッド間における副走査方向位置、搬送部材の搬送方向に対して直交する方向に対する平行度については、搬送部材の搬送位置を高精度に制御し、液体吐出ヘッド間で共通する搬送部材側位置決め部に対して位置決めすることで、高い位置決め精度が得られる。
【０１０３】
その結果、各液体吐出ヘッドから吐出される液体の相対的な付着位置精度が悪化したとき等において、液体吐出ヘッド間における相対的な位置精度（搬送部材に対する位置精度）を調整して、各液体吐出ヘッドから吐出される液体の相対的な付着位置精度を改善することが可能な液体を吐出する装置が実現される。
【０１０４】
（態様Ｂ）
前記態様Ａにおいて、前記搬送部材は円筒形状の搬送ドラムであり、前記搬送部材側位置決め部は、前記搬送ドラムが回転することで、複数の前記ヘッド側位置決め部のそれぞれに対応することを特徴とする。
これによれば、ドラム状部材の表面に担持された媒体に対して複数の液体吐出ヘッドから液体を吐出する装置において、各液体吐出ヘッドから吐出される液体の相対的な付着位置精度を得やすい。
【０１０５】
（態様Ｃ）
前記態様Ａ又はＢにおいて、前記搬送部材側位置決め部及び前記ヘッド側位置決め部のうち少なくとも１つは、前記搬送方向と直交する方向に長い孔または切り欠きであることを特徴とする。
【０１０６】
これによれば、各液体吐出ヘッドに設けられる複数のヘッド側位置決め部の主走査方向位置にバラつきがあっても、搬送部材上の搬送部材側位置決め部に対して位置決めすることができる。
【０１０７】
（態様Ｄ）
前記態様Ａ〜Ｃのいずれかの態様において、前記ヘッド側位置決め部は貫通孔であり、前記搬送部材側位置決め部が前記貫通孔と対応する位置にあるとき、前記貫通孔を通して、棒状部材が前記搬送部材側位置決め部に嵌合可能であることを特徴とする。
これによれば、棒状部材を使った簡単な作業で、液体吐出ヘッド間における相対的な位置精度を高めることができる。
【０１０８】
（態様Ｅ）
前記態様Ａ〜Ｃのいずれかの態様において、前記ヘッド側位置決め部は光が通過可能な光通過部であり、前記搬送部材側位置決め部が前記光通過部と対応する位置にあるとき、前記光通過部を通して、前記搬送部材側位置決め部に前記光が到達可能であることを特徴とする。
これによれば、レーザー光や目視などを利用した液体吐出ヘッドの位置決めが可能となる。
【０１０９】
（態様Ｆ）
媒体に液体を吐出する複数の液体吐出ヘッドの取り付け方法であって、前記媒体を搬送する搬送部材に設けられた搬送部材側位置決め部を、前記液体吐出ヘッドに設けられたヘッド側位置決め部と対応する位置に移動させる移動ステップと、棒状部材を前記搬送部材側位置決め部及び前記ヘッド側位置決め部に嵌合させて位置決めを行い、前記液体吐出ヘッドを装置本体に固定する固定ステップと、を有し、前記移動ステップ及び前記固定ステップを、前記複数の液体吐出ヘッドそれぞれに対して行うことを特徴とする。
【０１１０】
本態様によれば、各液体吐出ヘッドに設けられるヘッド側位置決め部を、搬送部材に設けられる搬送部材側位置決め部に対して位置決めすることで、搬送部材に対する各液体吐出ヘッドの位置決めが行われる。
【０１１１】
したがって、従来のように、各液体吐出ヘッドに設けられるヘッド側位置決め部を、搬送部材に設けられる液体吐出ヘッドごとの個別の位置決め部に対して位置決めする場合と比較して、搬送部材に設けられる液体吐出ヘッドごとの位置決め部間における位置精度が、液体吐出ヘッド間における相対的な位置精度に影響することはない。
【０１１２】
しかも、搬送部材に設ける搬送部材側位置決め部は、従来のように搬送部材に液体吐出ヘッドごとの個別の位置決め部を設ける場合と比べて数が少ないので、高い位置決め精度をもつ位置決め部を搬送部材に比較的容易に設けることが可能である。よって、液体吐出ヘッド間における相対的な位置精度（搬送部材に対する位置精度）を得やすく、各液体吐出ヘッドから吐出される液体の相対的な付着位置精度を得やすい。
【０１１３】
ここでいう液体吐出ヘッド間における相対的な位置精度（搬送部材に対する位置精度）とは、各液体吐出ヘッドに設けられるヘッド側位置決め部を、搬送部材に設けられる搬送部材側位置決め部に対して位置決めされる位置の精度であれば、液体吐出ヘッド間における主走査方向位置、副走査方向位置、搬送部材の表面との距離、搬送部材の表面に対する平行度、搬送部材の搬送方向に対して直交する方向に対する平行度などに関する位置精度が含まれる。
【０１１４】
例えば、液体吐出ヘッド間における主走査方向位置、搬送部材の表面との距離、搬送部材の表面に対する平行度については、搬送部材に設けられる搬送部材側位置決め部という液体吐出ヘッド間で共通の位置決め部に対して位置決めすることで、高い位置決め精度が得られる。
【０１１５】
また、例えば、液体吐出ヘッド間における副走査方向位置、搬送部材の搬送方向に対して直交する方向に対する平行度については、搬送部材の搬送位置を高精度に制御し、液体吐出ヘッド間で共通する搬送部材側位置決め部に対して位置決めすることで、高い位置決め精度が得られる。
【０１１６】
（態様Ｇ）
媒体に液体を吐出する複数の液体吐出ヘッドの取り付け方法であって、前記媒体を搬送する搬送部材に設けられた搬送部材側位置決め部を、前記液体吐出ヘッドに設けられたヘッド側位置決め部と対応する位置に移動させる移動ステップと、レーザーを用いて前記搬送部材側位置決め部及び前記ヘッド側位置決め部を対応させて位置決めを行い、前記液体吐出ヘッドを装置本体に固定する固定ステップと、を有し、前記移動ステップ及び前記固定ステップを、前記複数の液体吐出ヘッドそれぞれに対して行うことを特徴とする。
前記態様Ｆと同様、液体吐出ヘッド間における相対的な位置精度（搬送部材に対する位置精度）を得やすく、各液体吐出ヘッドから吐出される液体の相対的な付着位置精度を得やすい。
【０１１７】
（態様Ｈ）
液体を吐出する装置の製造方法において、前記態様ＦまたはＧに係る複数の液体吐出ヘッドの取り付け方法を用いることを特徴とする。
これによれば、液体吐出ヘッド間における相対的な位置精度（搬送部材に対する位置精度）を得やすく、各液体吐出ヘッドから吐出される液体の相対的な付着位置精度を得やすいので、各液体吐出ヘッドから吐出される液体の相対的な付着位置精度が高い液体を吐出する装置を製造することができる。
【符号の説明】
【０１１８】
１  インクジェット記録装置
２００  画像形成部
２０１  受け取り胴
２０１ａ  用紙グリッパ
２０２  受け渡し胴
２１０ 用紙搬送ドラム
２１０ａ  用紙グリッパ
２１１  吸引装置
２１２  ドラム側位置決め基準穴
２２０  インク吐出部
２２０Ｃ，２２０Ｍ，２２０Ｙ，２２０Ｋ  液体吐出ヘッド
２２１Ｃ，２２１Ｍ，２２１Ｙ，２２１Ｋ  ヘッド側位置決め基準穴
２３０  基準ピン
２９０  ベース部材
【先行技術文献】
【特許文献】
【０１１９】
【特許文献１】特開２０１０−１７３３０５号公報
【図１】
2017213862.tif 000003
【図２】
2017213862.tif 000004
【図３】
2017213862.tif 000005
【図４】
2017213862.tif 000006
【図５】
2017213862.tif 000007
【図６】
2017213862.tif 000008
【図７】
2017213862.tif 000009
【図８】
2017213862.tif 000010
【図９】
2017213862.tif 000011